(57)【要約】【目的】  コイン形電池が取り付けられる電池ホルダーを収納する電池ホルダーの取付構造に関し、収納位置が筐体の奥まった位置にあっても容易に着脱可能な電池取付構造を提供する。【構成】  コイン形電池２が収容され、コイン形電池２の正負各々の電極と接触するコネクタを備えた電池ホルダー３を、電子機器１の筐体の奥まった位置に収納するための取付構造であり、電池ホルダー３はコイン形電池２を着脱可能に収容する。ホルダー収納部２１は、電子機器１の筐体に形成され、電池ホルダー３を収納するための開口を有する。電池蓋２２は、ホルダー収納部２１を閉塞するように電子機器１の筐体に回動自在に軸支され、電池ホルダー３を着脱可能に保持する。【選択図】    図１
2005123134.tif 000002
【特許請求の範囲】
【請求項１】
コイン形電池が収容され、該コイン形電池の正負各々の電極と接触するコネクタを備えた電池ホルダーを、電子機器の筐体の所定位置に収納するための電池ホルダーの取付構造であって、
前記電子機器の筐体に形成され、前記電池ホルダーを収納するための開口を有するホルダー収納部と、
前記ホルダー収納部を閉塞するように前記電子機器の筐体に回動自在に軸支され、前記電池ホルダーを着脱可能に保持する電池蓋とを備えたことを特徴とする電池ホルダーの取付構造。
【請求項２】
回動可能に設けられたロック操作軸と、該ロック操作軸の回動に連動する係止片とが前記電池蓋に設けられ、
前記係止片が挿通される係止孔が前記電子機器の筐体側に設けられたロック機構を備えており、
前記ロック操作軸の回動に伴う前記係止孔に対する前記係止片の係脱によって前記電池蓋がロック又は解除されることを特徴とする請求項１記載の電池ホルダーの取付構造。
【発明の詳細な説明】
【技術分野】
【０００１】
本発明は、コイン形電池が着脱可能に取り付けられた電池ホルダーを各種電子機器に備えた収納部に収納する際に好適な電池ホルダーの取付構造に関するものである。
【背景技術】
【０００２】
各種電子機器の電源として、従来より様々な種類のコイン形またはボタン形（以下、便宜上コイン形と記載した場合にはボタン型も含むものとする）電池や乾電池が用いられている。例えば、携帯用に構成されたラジオやカセットテープやコンパクトディスク等を用いて音楽を再生・録音する電子機器は、その便宜上商用電源とＡＣプラグを有したＡＣコードを用いず、電子機器に電力供給を行うために乾電池を該電子機器の筐体内に収納するように構成されている。
【０００３】
ところで、コイン形電池は、小型、薄型、軽量であるため、乾電池が収納できないような小型電子機器用の電池として適している。例えば、この種のコイン形電池を用いる電子機器の電池収納構造が、下記特許文献１に開示されている。
【０００４】
特許文献１に開示される電池収納構造を、図７（ａ）, （ｂ）に示す。図７（ｂ）は図７（ａ）のＢ−Ｂ断面図である。電子部品ユニット６０が筐体のケース５１内に収納されている。電子部品ユニット６０は、機器の機能を構成する回路部が形成されたプリント配線板６１にスイッチやその他の電子部品が実装されて構成されている。また、プリント配線板６１には、カバー５２の開口部５４と対向する位置に、コイン形電池２の収納部６２が設けられている。この収納部６２は、図７（ａ）及び図７（ｂ）に示すように、ガイド部６３、負極端子板６４、正極端子６５を有している。ガイド部６３は、コイン形電池２の側面（正極面）２ａをガイドし得るように略円形の凹部６３ａが形成されている。負極端子板６４は、ガイド部６３の凹部６３ａ内においてプリント配線板６１に設けられる。正極端子６５は、ガイド部６３の開口部分においてプリント配線板６１に設けられ、ガイド部６３の内周面に沿って配置されている。
【０００５】
負極端子板６４は、金属板にて形成されており、一対の負極端子６４ａを有している。この一対の負極端子６４ａは、ガイド部６３の凹部６３ａに装填されたコイン形電池２の底面（負極面）２ｂと接触させるべく、バネ性を有する状態で上方へ向けて突出させられている。正極端子６５もバネ性を有する金属板にて形成されている。そして、正極端子６５には、凹部６３ａに装填されたコイン形電池２の側面（正極面）２ａに確実に接触し得るように突起部６５ａが形成されている。
【０００６】
一方、ガイド部６３の上縁部には爪形の係合部６６が配置されている。この係合部６６は、凹部６３ａ側に向けて３箇所に配置されて突出している。この３箇所に配置された係合部６６は、凹部６３ａ内にコイン形電池２を装填した場合に、コイン形電池２の側面（正極面）２ａの周縁部に係合する。これにより、プリント配線板６１から離間する方向に負極端子６４ａで押圧されているコイン形電池２が凹部６３ａから抜け出るのを阻止している。従って、凹部６３ａ内に装填されたコイン形電池２は、係合部６６と負極端子６４ａとで挟持される。その結果、がたつくことなく、負極面が負極端子６４ａに対して電気的にも確実に接続される。
【０００７】
また、図７（ａ）に示すように、係合部６６（６６ａ）は、ロックつまみ５６をロック位置に位置付けた場合に不図示の舌片に隣接するように配置されている。従って、ロックつまみ５６をロック位置に位置付けると係合部６６（６６ａ）の撓みは、この係合部６６（６６ａ）に当接する舌片により阻止されるので、係合部６６（６６ａ）が撓むことなくコイン形電池２は凹部６３ａ内でしっかりと保持される。
【０００８】
そして、上記構成による電池収納構造において、電子機器にコイン形電池２を装填する場合は、図７（ａ）に示すように、電池カバー５５を取り外し、負極側電極面を下向きにしてガイド部６３の凹部６３ａ内にコイン形電池２を嵌め込むことにより行う。コイン形電池の底面（負極面）２ｂは、一対の負極端子６４ａに接触し、コイン形電池２の側面（正極面）２ａが正極端子６５の突起部６５ａに接触する。これにより、コイン形電池２がプリント配線板６１に電気的に確実に接続される。その際、コイン形電池２の周囲がガイド部６３で位置決めされ、プリント配線板６１からのコイン形電池２の浮き上がりが係合部６６，６６ａで阻止される。そして、電池カバー５５をカバー部５２の所定の位置に装着し、ロックつまみ５６で係止する。
【０００９】
他方、電池ホルダーの電極接片に金属を使わず、漏洩を防ぐ目的で導電性ゴムを用いたものも知られている。導電性ゴムとは、本来絶縁体のゴムに電気が流れるように金属粒子やカーボンなどを配合したものである。この電池ホルダーは、導電部材である導電性ゴムと絶縁部材であるシリコーンゴムからなる。
【００１０】
例えば、導電性ゴムとシリコーンゴムを採用したコイン形電池ホルダーとしては信越ポリマー社ＳＰ−Ｂがある。この電池ホルダー３を図８（ａ），（ｂ）に示す。この電池ホルダー３は、コイン形電池２の外形にあった開口部を有し、この開口部内に側面（正極面）２ａと底面（負極面）２ｂが覆われた状態でコイン形電池２が収容される。また、図８（ｂ）に示すように、電池ホルダー３には、コイン形電池２の各電極部分に接触するように形成された正極コネクタ３ａと負極コネクタ３ｂとが開口部内から突出形成されている。電子機器の回路基板上の正極端子と正極コネクタ３ａ、負極端子と負極コネクタ３ｂとがそれぞれ導通することでコイン形電池２から電子機器に対して駆動電力が供給される。    
【００１１】
【特許文献１】特開平８−１６７４０３号公報
【発明の開示】
【発明が解決しようとする課題】
【００１２】
従来の特許文献１に開示される電池収納構造は、回路基板であるプリント配線板６１にコイン形電池を固定保持するための部品を半田付けする工程が必要不可欠であり、その分だけ作業工程が多くなり、生産性が悪かった。また、電子機器の筐体に対してコイン形電池の取付位置が奥まった位置（例えば筐体の厚さ方向に深い位置）にあると、コイン形電池が取り出しずらく、コイン形電池を取り出すのに手間がかかるという課題があった。
【００１３】
また、導電性ゴムで形成される電極接片を用いた電池ホルダーの場合、電池ホルダー自体がシリコーンゴムで形成されていると、電池ホルダーを電子機器のホルダー収納部に収納した際、シリコーンゴムからなる電池ホルダーが回路基板に密着して離れず、電池ホルダーをホルダー収納部から取り出す際に回路基板を損傷する恐れがあるだけでなく、電池ホルダーの着脱も困難であるという課題があった。
【００１４】
そこで、本発明は、上記問題点に鑑みてなされたものであり、電池ホルダーが収納されるホルダー収納部が電子機器の深い位置に形成されている場合でも電池ホルダーを容易に着脱でき、しかもコイン形電池を電池ホルダーに取り付けてホルダー収納部に確実に位置決め収納することができる電池ホルダーの取付構造を提供することを目的としている。
【課題を解決するための手段】
【００１５】
上記目的を達成するために、請求項１記載の電池取付構造は、コイン形電池が収容され、該コイン形電池の正負各々の電極と接触するコネクタを備えた電池ホルダーを、電子機器の筐体の所定位置に収納するための電池ホルダーの取付構造であって、
前記電子機器の筐体に形成され、前記電池ホルダーを収納するための開口を有するホルダー収納部と、
前記ホルダー収納部を閉塞するように前記電子機器の筐体に回動自在に軸支され、前記電池ホルダーを着脱可能に保持する電池蓋とを備えたことを特徴とする。
【００１６】
請求項２記載の電池取付構造は、請求項１記載の電池取付構造において、
回動可能に設けられたロック操作軸と、該ロック操作軸の回動に連動する係止片とが前記電池蓋に設けられ、
前記係止片が挿通される係止孔が前記電子機器の筐体側に設けられたロック機構を備えており、
前記ロック操作軸の回動に伴う前記係止孔に対する前記係止片の係脱によって前記電池蓋がロック又は解除されることを特徴とする。
【発明の効果】
【００１７】
以上説明したように本発明によれば、電池ホルダーを着脱可能に取り付ける電池取付部が電池蓋に形成されているので、コイン形電池の取付位置が電子機器の深い位置にある場合でも、電池蓋を開閉するだけで容易にコイン形電池の着脱が可能となり、簡便性がよくなる。しかも、従来のような回路基板に電池ホルダーを半田で固定する工程が不要なので、作業工程を簡略化でき、生産性が向上してコストを低減することができる。
【００１８】
電池ホルダーがシリコーンゴム等の回路基板に密着しやすい材質で形成されていても、電池蓋に形成された電池取付部に電池ホルダーが固定して装填されるので、従来のように回路基板に電池ホルダーが密着することもなく、回路基板を損傷せず電池ホルダーの着脱が容易に行える。
【００１９】
ロック機構を構成するロック操作軸の回動操作に伴う係止孔に対する係止片の係脱により電池蓋をロック又は解除することができる。これにより、ロック時に、外部から衝撃を受けても電池蓋が確実に固定されているため、コイン形電池の各電極面と回路基板の各電極端子との導通が維持され、コイン形電池から回路基板上の各電子部品に電力を供給することができる。その結果、バックアップデータや測定データ等の記録データが消失することなく、電子機器の信頼性を向上させる効果を奏する。
【発明を実施するための最良の形態】
【００２０】
以下、本発明について図面を参照しながら具体的に説明する。図１は本発明に係る電池ホルダーの取付構造を採用した電子機器の一例で電池蓋が開いた状態の断面図、図２は本発明に係る電子機器の一例で電池蓋が開いた状態の概略斜視図、図３は本発明に係る電池ホルダーにコイン形電池を収容して電池蓋を閉じた状態の電子機器の断面図、図４（ａ）は図３の第２筐体の平面図、図４（ｂ）は図４（ａ）の裏面図、図５は電池蓋をロックした状態の断面図、図６（ａ）は図５の第２筐体の平面図、図６（ｂ）は図６（ａ）の裏面図である。
【００２１】
以下、図面を参照しながら本発明に係る電池ホルダーの取付構造について、電子機器の筐体を例にとって説明する。
【００２２】
図１及び図２に示すように、電子機器１は、第１筐体１０と第２筐体２０とを備えた２分割構造の矩形状の筐体で構成される。この第１筐体１０と第２筐体２０は、例えば樹脂や金属など電子機器の用途に応じて材質を自由に選択して成形することができる。
【００２３】
第１筐体１０には、ＲＡＭやＣＰＵなどの各種電子部品が搭載された回路基板１２が不図示のスペーサ部材を介して取り付けられている。回路基板１２における第２筐体２０側の面には、コイン形電池２の側面（正極面）２ａと対応する位置に正極端子１１ａが形成され、コイン形電池２の底面（負極面）２ｂと対応する位置に負極端子１１ｂが形成されている。また、第１筐体１０は、特に図示はしていないが、各種情報（例えば測定パタメータや測定結果など）を表示する表示部や、回路基板１２上のＲＡＭ等の電子部品に蓄積されたデータの入出力や各種データの処理における信号を指令したり、液晶のコントラスト調整や各種設定などをユーザがキー操作入力によって設定できる設定入力部などが設けられている。第１筐体１０には、筐体の四方にネジ止めするための不図示の取付孔が形成されている。そして、第１筐体１０の不図示の取付孔と第２筐体２０に形成される取付孔２５とを位置合わせし、これら取付孔にネジを挿通して締着することにより、第１筐体１０と第２筐体２０が固定される。
【００２４】
第２筐体２０には、図２に示すように、矩形状の凹部２０ａが形成されている。そして、第２筐体２０には、ホルダー収納部２１が設けられている。ホルダー収納部２１は、凹部２０ａの略中央に位置し、回路基板１２の正極端子１１ａおよび負極端子１１ｂが表出するように凹部２０ａに連通する開口した筒状の開口穴を形成している。従って、本例では、筐体の厚さ方向に対して、第１筐体１０寄りの筐体の中央より奥まった位置に電池ホルダー３が収納されることになる。このホルダー収納部２１には、電池蓋２２に取り付けられる電池ホルダー３が収納される。電池ホルダー３は、前述したように、例えば図８に示す導電性ゴムで形成される電極接片を用いたものが採用される。この電池ホルダー３には、コイン形電池２が収容される。コイン形電池２は、回路基板１２に搭載された各電子部品に電力を供給するものである。
【００２５】
電池蓋２２は、ホルダー収納部２１を含め凹部２０ａを閉塞するように凹部２０ａの対向する側壁面２０ｂに回動軸２２ｂを介して軸支されている。この電池蓋２２は、回動軸２２ｂを中心として、図１の矢印Ａで示す方向に所定角度回動することにより開閉できるようになっている。
【００２６】
図１及び図２に示すように、電池取付部２３は、ホルダー収納部２１と対面する側の電池蓋２２の面に筒状に一体形成されている。この電池取付部２３の先端面には、コイン形電池２の底面（負極面）２ｂが外に向いた状態でコイン形電池２が取り付けられる。電池取付部２３には、図２に示すように、電池ホルダー３を電池取付部２３に取り付けた際に電池ホルダー３が電池取付部２３から脱落しないように、電池取付部２３の外周の先端部分に例えば４方向に所定間隔を置いて係合部２３ａが設けられている。この係合部２３ａは、少なくとも一つが弾性を有する爪状に形成されている。そして、この爪状の係合部２３ａを撓ませることにより、電池取付部２３に対して電池ホルダー３が容易に着脱できるようになっている。
なお、図２に示す係合部２３ａの形状はこれに限らず、電池取付部に形成されていて電池ホルダーを保持できる構造であればよく、例えば電池取付部２３の先端部分において係合部２３ａを対向した位置や１２０度の間隔で３方向に形成しても同様の効果を奏する。    
【００２７】
ロック機構２４は、電池蓋２２を閉じた状態に固定する機構である。その構成について説明すると、電池蓋２２の回動先端側には、電池取付部２３と並んでロック操作軸２７が貫通穴２２ａに挿通されて回動可能に設けられている。また、ロック操作軸２７の表面には、例えばコインの厚さと略同等の幅を有する凹溝２７ａが所定深さで形成されている。さらに、ロック操作軸２７の先端部分には、図１，図２，図３, 図４（ｂ），図６（ｂ）に示すように、ロック操作軸２７の軸径よりも太径で横長の係止片２７ｂが固定されている。また、第２筐体２０には、係止片２７ｂの形状に対応した係止孔２６が形成されている。
【００２８】
このように構成されるロック機構２４では、電池蓋２２を閉じた状態に固定する場合、図４（ａ），図４（ｂ），図５，図６（ａ），図６（ｂ）に示すように、ユーザが例えばコインを凹溝２７ａに挿入してロック操作軸２７を回動（例えば９０度回転）させると、ロック操作軸２７の回動に連動して係止孔２６を貫通している係止片２７ｂも回動する。これにより、係止片２７ｂの両側が係止孔２６の周囲の面に係止され、電池蓋２２が閉じた状態にロック（固定）される。これに対し、電池蓋２２の閉じた状態（ロック状態）を解除する場合には、ロック操作軸２７の係止片２７ｂが係止孔２６から抜き取り可能な位置までロック操作軸２７を回動させる。
【００２９】
なお、上述したロック機構２４の構成要素である係止片２７ｂや係止孔２６の形状は図示のものに限定されず、係止片２７ａがロック操作軸２７の回動により係止孔２６に対して係止又は解除される形状であればよい。また、このロック機構２４は、ロック操作軸２７の回動操作に伴う係止片２７ｂと係止孔２６の係止によって電池蓋２２を閉じた状態に固定しているが、この構成に限定されるものではなく、例えば貫通孔２２ａから直接ネジ止めして電池蓋２２を閉じた状態に固定してもよい。
【００３０】
そして、上記構成において、コイン形電池２の取り付けを行う場合には、図１，図３，図５に示すように、第２筐体２０に軸支された電池蓋２２の電池取付部２３に対し、コイン形電池２を収容した電池ホルダー３を取り付ける。電池ホルダー３は、複数の係合部２３ａによりしっかりと保持されるので、電池ホルダー３をユーザが故意に外さない限り電池取付部２３から脱落することはない。
【００３１】
そして、電池ホルダー３をホルダー収納部２１に収納するため、電池蓋２２を回動させて第２筐体２０の凹部２０ａを閉塞するように電池蓋２２を閉じる。この電池蓋２２を閉じる動作により、ロック操作軸２７の係止片２７ｂが係止孔２６を通過して挿通される。そして、ロック操作軸２７の表面の凹溝２７ａに例えばコインを挿入し、ロック操作軸２７を図４（ｂ）の矢印Ｂ方向に９０°回動させる。これにより、係止片２７ｂが係止孔２６に係止され、コイン形電池２の取り付いた電池ホルダー３がホルダー収納部２１に収納され、電池蓋２２が閉じた状態に固定される。この際、コイン形電池２の側面（正極面）２ａが回路基板１２の正極端子１１ａに導通接続され、コイン形電池２の底面（負極面）２ｂが回路基板１２の負極端子１１ｂに導通接続される。従って、ユーザは、電池蓋２２を閉じてロック操作軸２７を回動させるだけの操作で電池ホルダー３の取り付けが行なえる。
【００３２】
また、コイン形電池２の寿命で電池交換を行なう場合には、上述したコイン形電池２の取り付け動作と逆の手順を実行すればよい。すなわち、ロック操作軸２７の凹溝２７ａに例えばコインを挿入し、ロック操作軸２７を例えば図４（ｂ）の矢印Ｂ方向とは逆方向に９０°回動させる。これにより、係止片２７ｂと係止孔２６の係止が解除され、係止片２７ｂが係止孔２６を通過できる状態になる。この状態で、回動軸２２ｂを中心として、図１の矢印Ａ方向に電池蓋２２を回動させて開く。そして、電池蓋２２の電池取付部２３に取り付けられた電池ホルダー３を取り出す。その後、電池ホルダー３からコイン形電池２を取り出して新しいものと交換することで、コイン形電池の取り出しが容易に行なえる。    
【００３３】
このように、本例の構成によれば、電池ホルダー３を着脱する電池取付部２３が電池蓋２２に形成されているので、コイン形電池２の取付位置が電子機器１の筐体内の奥まった深い位置にある場合でも、電池蓋２２を開閉操作するだけでコイン形電池２を含む電池ホルダー３の着脱を容易に行うことができる。しかも、従来のような回路基板に電池ホルダーを半田で固定する工程が不要なので、作業工程を簡略化でき、生産性が向上してコストを低減することができる。
【００３４】
電池ホルダー３がシリコーンゴム等の回路基板１２に密着しやすい材質で形成されていても、電池蓋２２に形成された電池取付部２３に電池ホルダー３が固定して装填されるので、従来のように回路基板に電池ホルダーが密着することもなく、回路基板１２を損傷せずに電池ホルダー３の着脱が容易に行える。
【００３５】
ロック機構２４を構成するロック操作軸２７の回動操作に伴う係止孔２６に対する係止片２７ｂの係脱により電池蓋２２をロック又は解除することができる。これにより、ロック時に、外部から衝撃を受けても電池蓋２２が確実に固定されているため、コイン形電池２の各電極面２ａ，２ｂと回路基板１２の各電極端子１１ａ，１１ｂとの導通が維持され、コイン形電池２から回路基板１２上の各電子部品に電力を供給することができる。その結果、バックアップデータや測定データ等の記録データが消失することなく、電子機器の信頼性を向上させる効果を奏する。
【００３６】
ところで、上述した形態では、コイン形電池２の収容にシリコーン樹脂を用いた電池ホルダー３を採用しているが、これに限らず、コイン形電池２を収容できる構造の電池ホルダー３であれば、電池取付部２３の形状を電池ホルダー３に合せることで対応することができる。この場合、ホルダー収納部２１も電池ホルダー３に合わせた電池取付部２３が収納可能な形状にする。
【００３７】
また、例えば測定データなどをＲＡＭなどに一時的に記憶保存する電子部品を備えた電子機器の場合、電池蓋２２にロック機構２４が設けてあることにより、電池蓋２２が確実に閉じた状態に固定される。これにより、電池蓋２２を不用意に開けることを防止でき、バックアップしてある測定データが消去される心配もなく、電子機器の信頼性が向上する。
【図面の簡単な説明】
【００３８】
【図１】本発明に係る電池ホルダーの取付構造を採用した電子機器の一例で電池蓋が開いた状態の断面図である。
【図２】本発明に係る電子機器の一例で電池蓋が開いた状態の概略斜視図ある。
【図３】本発明に係る電池ホルダーにコイン形電池を収容して電池蓋を閉じた状態の電子機器の断面図である。
【図４】（ａ）  図３の第２筐体の平面図である。  （ｂ）  （ａ）の裏面側の平面図である。
【図５】電池蓋をロックした状態の断面図である。
【図６】（ａ）  図５の第２筐体の平面図である。  （ｂ）  （ａ）の裏面側の平面図である。
【図７】（ａ）  従来の電子機器に用いられた電池取付け構造の一例を示す概略斜視図である。  （ｂ）（ａ）のＢ−Ｂ線断面図である。
【図８】（ａ）  コイン形電池を嵌入する電池ホルダーの一例を示す概略斜視図である。  （ｂ）  電池ホルダーの底面側の概略斜視図である。
【符号の説明】
【００３９】
１  電子機器
２  コイン形電池
３  電池ホルダー
１０  第１筐体
２０  第２筐体
２１  ホルダー収納部
２２  電池蓋
２２ｂ  回動軸
２３  電池取付部  
２４  ロック機構
２６  係止孔
２７  ロック操作軸
２７ａ  凹溝
２７ｂ  係止片
【図１】
2005123134.tif 000003
【図２】
2005123134.tif 000004
【図３】
2005123134.tif 000005
【図４】
2005123134.tif 000006
【図５】
2005123134.tif 000007
【図６】
2005123134.tif 000008
【図７】
2005123134.tif 000009
【図８】
2005123134.tif 000010